(57)【要約】【課題】  開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供する。【解決手段】  店内温度ＴＩと店内湿度ＵＩとに基づいて求めた店内エンタルピＥと４台のショーケース１〜４の中の最も低い設定庫内温度ＴＳL とに基づいて圧縮機５ａの目標吸入圧力ＰＳを設定する。各ショーケース１〜４にナイトカバーＮＣが装着されたと判定されたときは先に設定された目標吸入圧力ＰＳをこれよりも高値に補正する処理を行う。【選択図】  図３
2007107731.tif 000002
【特許請求の範囲】
【請求項１】
蒸発器内蔵の複数のショーケースと圧縮機内蔵の共用冷凍機とを備えた冷却システムであって、
店内温度と店内湿度とに基づいて店内エンタルピを求め、該店内エンタルピと複数のショーケースの中で最も低い設定庫内温度とに基づいて圧縮機の目標吸入圧力を設定する手段と、
設定された目標吸入圧力と圧縮機の実吸入圧力との圧力偏差に基づき実吸入圧力が目標吸入圧力となるように圧縮機の回転数を制御する手段と、
ショーケースにナイトカバーが装着されたことを判定する手段と、
ナイトカバー装着と判定されたときに前記目標吸入圧力を高値に補正する手段とを備える、
ことを特徴とする冷却システム。
【請求項２】
ショーケースにナイトカバーが装着されたことを判定する手段は、現在時刻が予め設定したナイトカバー装着時刻に達し、且つ、ショーケースの冷却継続時間が予め設定した基準冷却継続時間よりも短いときにショーケースにナイトカバーが装着されたと判定する、
ことを特徴とする請求項１に記載の冷却システム。
【請求項３】
ショーケースにナイトカバーが装着されたことを判定する手段は、ショーケースに設けられたナイトカバー装着検知センサが装着を検知したときにショーケースにナイトカバーが装着されたと判定する、
ことを特徴とする請求項１に記載の冷却システム。
【請求項４】
補正後の目標吸入圧力と圧縮機の実吸入圧力との圧力偏差に基づき実吸入圧力が目標吸入圧力となるように圧縮機の回転数を制御している状態で少なくとも１つのショーケースの庫内温度が設定庫内温度を超えたときに補正後の目標吸入圧力を補正前の目標吸入圧力に戻す手段をさらに備える、
ことを特徴とする請求項１〜３の何れか１項に記載の冷却システム。
【請求項５】
照明器を有する蒸発器内蔵の複数のショーケースと圧縮機内蔵の共用冷凍機とを備えた冷却システムであって、
店内温度と店内湿度とに基づいて店内エンタルピを求め、該店内エンタルピと複数のショーケースの中で最も低い設定庫内温度とに基づいて圧縮機の目標吸入圧力を設定する手段と、
設定された目標吸入圧力と圧縮機の実吸入圧力との圧力偏差に基づき実吸入圧力が目標吸入圧力となるように圧縮機の回転数を制御する手段と、
ショーケースの照明器が消灯されたことを判定する手段と、
照明器消灯と判定されたときに前記目標吸入圧力を高値に補正する手段とを備える、
ことを特徴とする冷却システム。
【請求項６】
現在時刻が予め設定した点灯時刻に達したときに各ショーケースに点灯信号を出力し現在時刻が予め設定した消灯時刻に達したときにショーケースに消灯信号を出力する手段をさらに備え、
各ショーケースは、点灯信号の入力に基づいて照明器を点灯させ消灯信号の入力に基づいて照明器を消灯させる手段を有し、
ショーケースの照明器が消灯されたことを判定する手段は、ショーケースに消灯信号が入力されたときにショーケースの照明器が消灯されたと判定する、
ことを特徴とする請求項５に記載の冷却システム。
【請求項７】
各ショーケースは、照明器を点灯または消灯に切り換えるための照明スイッチを有し、
ショーケースの照明器が消灯されたことを判定する手段は、ショーケースに設けられた照明スイッチが消灯に切り換えられたときにショーケースの照明器が消灯されたと判定する、
ことを特徴とする請求項５に記載の冷却システム。
【請求項８】
補正後の目標吸入圧力と圧縮機の実吸入圧力との圧力偏差に基づき実吸入圧力が目標吸入圧力となるように圧縮機の回転数を制御している状態で少なくとも１つのショーケースの庫内温度が設定庫内温度を超えたときに補正後の目標吸入圧力を補正前の目標吸入圧力に戻す手段をさらに備える、
ことを特徴とする請求項５〜７の何れか１項に記載の冷却システム。
【請求項９】
蒸発器内蔵の複数のショーケースと圧縮機内蔵の共用冷凍機とを備えた冷却システムであって、
店内温度と店内湿度とに基づいて店内エンタルピを求め、該店内エンタルピと複数のショーケースの中で最も低い設定庫内温度とに基づいて圧縮機の目標吸入圧力を設定する手段と、
設定された目標吸入圧力と圧縮機の実吸入圧力との圧力偏差に基づき実吸入圧力が目標吸入圧力となるように圧縮機の回転数を制御する手段と、
ショーケースにナイトカバーが装着されたことを判定する手段と、
ショーケースの照明器が消灯されたことを判定する手段と、
ナイトカバー装着と照明器消灯の少なくとも一方と判定されたときに前記目標吸入圧力を高値に補正する手段とを備える、
ことを特徴とする冷却システム。
【請求項１０】
ショーケースにナイトカバーが装着されたことを判定する手段は、現在時刻が予め設定したナイトカバー装着時刻に達し、且つ、ショーケースの冷却継続時間が予め設定した基準冷却継続時間よりも短いときにショーケースにナイトカバーが装着されたと判定する、
ことを特徴とする請求項９に記載の冷却システム。
【請求項１１】
ショーケースにナイトカバーが装着されたことを判定する手段は、ショーケースに設けられたナイトカバー装着検知センサが装着を検知したときにショーケースにナイトカバーが装着されたと判定する、
ことを特徴とする請求項９に記載の冷却システム。
【請求項１２】
現在時刻が予め設定した点灯時刻に達したときに各ショーケースに点灯信号を出力し現在時刻が予め設定した消灯時刻に達したときに各ショーケースに消灯信号を出力する手段をさらに備え、
各ショーケースは、点灯信号の入力に基づいて照明器を点灯させ消灯信号の入力に基づいて照明器を消灯させる手段を有し、
ショーケースの照明器が消灯されたことを判定する手段は、ショーケースに消灯信号が入力されたときにショーケースの照明器が消灯されたと判定する、
ことを特徴とする請求項９〜１１の何れか１項に記載の冷却システム。
【請求項１３】
各ショーケースは、照明器を点灯または消灯に切り換えるための照明スイッチを有し、
ショーケースの照明器が消灯したことを判定する手段は、ショーケースに設けられた照明スイッチが消灯に切り換えられたときにショーケースの照明器が消灯されたと判定する、
ことを特徴とする請求項９〜１１の何れか１項に記載の冷却システム。
【請求項１４】
補正後の目標吸入圧力と圧縮機の実吸入圧力との圧力偏差に基づき実吸入圧力が目標吸入圧力となるように圧縮機の回転数を制御している状態で少なくとも１つのショーケースの庫内温度が設定庫内温度を超えたときに補正後の目標吸入圧力を補正前の目標吸入圧力に戻す手段をさらに備える、
ことを特徴とする請求項９〜１３の何れか１項に記載の冷却システム。
【発明の詳細な説明】
【技術分野】
【０００１】
本発明は、蒸発器内蔵の複数のショーケースと圧縮機内蔵の共用冷凍機とを備えた冷却システムに関する。
【背景技術】
【０００２】
この種の冷却システムは、店内に設置された複数のショーケースと、複数のショーケースで共用の冷凍機を備える。各ショーケースは蒸発器と該蒸発器に冷媒を取り込むための電磁弁と実庫内温度を検出するための温度センサを有し、実庫内温度が設定庫内温度となるように電磁弁の開閉を制御する。共用冷凍機は能力可変型の圧縮機と該圧縮機の実吸入圧力を検出するための圧力センサを有し、実吸入圧力が別途設定された目標吸入圧力となるように圧縮機の回転数を制御する。
【特許文献１】特開平９−２１７９７４号公報
【発明の開示】
【発明が解決しようとする課題】
【０００３】
従前の冷却システムでは、前記目標吸入圧力を電磁弁の運転率や温度降下速度や電磁弁の平均オンオフ周期等に基づいて設定しているため、省エネルギーにはある程度貢献できるものの、各ショーケースから特殊な運転データを収集する必要があると共に制御装置に複雑な処理等が必要になるためコスト面で難点がある。
【０００４】
また、開店時刻及び閉店時刻を定めているスーパーマーケット等では、閉店後にショーケースにナイトカバーを装着したりショーケースの照明器を消灯することによる負荷低減策を講じているが、非営業時間帯は営業時間帯に比べて外乱による負荷変動が著しく減少するため、営業時間帯と同様の手法によって前記目標吸入圧力を設定すると該目標吸入圧力が低すぎる値となって圧縮機の運転にエネルギーロスを生じる難点がある。
【０００５】
本発明は前記事情に鑑みて創作されたもので、開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供することにある。
【課題を解決するための手段】
【０００６】
前記目的を達成するため、本発明は、蒸発器内蔵の複数のショーケースと圧縮機内蔵の共用冷凍機とを備えた冷却システムであって、店内温度と店内湿度とに基づいて店内エンタルピを求め、該店内エンタルピと複数のショーケースの中で最も低い設定庫内温度とに基づいて圧縮機の目標吸入圧力を設定する手段と、設定された目標吸入圧力と圧縮機の実吸入圧力との圧力偏差に基づき実吸入圧力が目標吸入圧力となるように圧縮機の回転数を制御する手段と、ショーケースにナイトカバーが装着されたことを判定する手段と、ナイトカバー装着と判定されたときに前記目標吸入圧力を高値に補正する手段とを備える、ことをその特徴とする、
この冷却システムによれば、店内温度と店内湿度とに基づいて店内エンタルピを求め、該店内エンタルピと複数のショーケースの中の最も低い設定庫内温度とに基づいて圧縮機の目標吸入圧力を的確に設定できるので、換言すれば、各ショーケースから特殊な運転データを収集することなく、且つ、制御装置に複雑な処理等を要することなく圧縮機の目標吸入圧力を的確に設定できるので、コスト面での難点を解消し、且つ、省エネルギーを図ることができる。また、ショーケースにナイトカバーが装着されたと判定されたときに先に設定された目標吸入圧力をこれよりも高値に補正する処理を行っているので、営業時間帯に比べて外乱による負荷変動が著しく減少する非営業時間帯において目標吸入圧力が低すぎる値となって圧縮機の運転にエネルギーロスを生じる難点を解消して省エネルギーを図ることができる。つまり、開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供することができる。
【０００７】
また、本発明は、照明器を有する蒸発器内蔵の複数のショーケースと圧縮機内蔵の共用冷凍機とを備えた冷却システムであって、店内温度と店内湿度とに基づいて店内エンタルピを求め、該店内エンタルピと複数のショーケースの中で最も低い設定庫内温度とに基づいて圧縮機の目標吸入圧力を設定する手段と、設定された目標吸入圧力と圧縮機の実吸入圧力との圧力偏差に基づき実吸入圧力が目標吸入圧力となるように圧縮機の回転数を制御する手段と、ショーケースの照明器が消灯されたことを判定する手段と、照明器消灯と判定されたときに前記目標吸入圧力を高値に補正する手段とを備える、ことをその特徴とする。
【０００８】
この冷却システムによれば、店内温度と店内湿度とに基づいて店内エンタルピを求め、該店内エンタルピと複数のショーケースの中の最も低い設定庫内温度とに基づいて圧縮機の目標吸入圧力を的確に設定できるので、換言すれば、各ショーケースから特殊な運転データを収集することなく、且つ、制御装置に複雑な処理等を要することなく圧縮機の目標吸入圧力を的確に設定できるので、コスト面での難点を解消し、且つ、省エネルギーを図ることができる。また、ショーケースの照明灯が消灯されたと判定されたときに先に設定された目標吸入圧力をこれよりも高値に補正する処理を行っているので、営業時間帯に比べて外乱による負荷変動が著しく減少する非営業時間帯において目標吸入圧力が低すぎる値となって圧縮機の運転にエネルギーロスを生じる難点を解消して省エネルギーを図ることができる。つまり、開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供することができる。
【０００９】
さらに、本発明は、蒸発器内蔵の複数のショーケースと圧縮機内蔵の共用冷凍機とを備えた冷却システムであって、店内温度と店内湿度とに基づいて店内エンタルピを求め、該店内エンタルピと複数のショーケースの中で最も低い設定庫内温度とに基づいて圧縮機の目標吸入圧力を設定する手段と、設定された目標吸入圧力と圧縮機の実吸入圧力との圧力偏差に基づき実吸入圧力が目標吸入圧力となるように圧縮機の回転数を制御する手段と、ショーケースにナイトカバーが装着されたことを判定する手段と、ショーケースの照明器が消灯されたことを判定する手段と、ナイトカバー装着と照明器消灯の少なくとも一方と判定されたときに前記目標吸入圧力を高値に補正する手段とを備える、ことをその特徴とする。
【００１０】
この冷却システムによれば、店内温度と店内湿度とに基づいて店内エンタルピを求め、該店内エンタルピと複数のショーケースの中の最も低い設定庫内温度とに基づいて圧縮機の目標吸入圧力を的確に設定できるので、換言すれば、各ショーケースから特殊な運転データを収集することなく、且つ、制御装置に複雑な処理等を要することなく圧縮機の目標吸入圧力を的確に設定できるので、コスト面での難点を解消し、且つ、省エネルギーを図ることができる。また、ショーケースにナイトカバーが装着されたと判定されたとき及び／またはショーケースの照明灯が消灯されたと判定されたときに先に設定された目標吸入圧力をこれよりも高値に補正する処理を行っているので、営業時間帯に比べて外乱による負荷変動が著しく減少する非営業時間帯において目標吸入圧力が低すぎる値となって圧縮機の運転にエネルギーロスを生じる難点を解消して省エネルギーを図ることができる。つまり、開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供することができる。
【発明の効果】
【００１１】
本発明によれば、開店時刻及び閉店時刻を定めているスーパーマーケット等の店舗にシステムが設置された場合でも、営業時間帯並びに非営業時間帯における圧縮機の目標吸入圧力をそれぞれ適切に設定してシステム全体の省エネルギーを図ることができる冷却システムを提供できる。
【００１２】
本発明の前記目的とそれ以外の目的と、構成特徴と、作用効果は、以下の説明と添付図面によって明らかとなる。
【発明を実施するための最良の形態】
【００１３】
［第１実施形態］
図１〜図６は本発明の第１実施形態を示す。図１は冷却システムの全体構成図、図２は図１に示したショーケースの側面図、図３は目標吸入圧力の設定及び補正に係る処理フローを示す図、図４は店内エンタルピを求める際に用いられるデータテーブルを示す図、図５は目標吸入圧力を設定する際に用いられるデータテーブルを示す図、図６は目標吸入圧力を補正する際に用いられるデータテーブルを示す図である。
【００１４】
以下に、図１及び図２を参照して、冷却システムの全体構成について説明する。図１中の１〜４はショーケース、５は共用冷凍機、６は制御装置、ＲＰ１は冷媒往き管、ＲＰ２は冷媒戻り管、ＳＬ１，ＳＬ２は信号線である。
【００１５】
各ショーケース１〜４は商品出し入れ用の開口１ｈ〜４ｈ（図２参照）を有するタイプのショーケースであり、開店時刻及び閉店時刻を定めているスーパーマーケット等の店内の所定位置に設置されている。各ショーケース１〜４は、蒸発器１ａ〜４ａと、蒸発器１ａ〜４ａの入口側に設けられた膨張弁１ｂ〜４ｂと、膨張弁１ｂ〜４ｂの入口側に設けられた電磁弁１ｃ〜４ｃと、冷却空気を循環するための庫内ファン１ｄ〜４ｄと、実庫内温度（吹き出し温度）ＴＡ１〜ＴＡ４を検出するための庫内温度センサ１ｅ〜４ｅと、コントローラ１ｆ〜４ｆと、設定庫内温度ＴＳ１〜ＴＳ４を定めるための庫内温度設定器１ｇ〜４ｇとを少なくとも備える。因みに、蒸発器（１ａ〜４ａ）への冷媒取り込みを制御する電磁弁（１ｃ〜４ｃ）と膨張弁（１ｂ〜４ｂ）の構成は、両者の機能を併せ持つ電子式膨張弁で代用することもできる。各ショーケース１〜４の蒸発器１ａ〜４ａは冷媒往き管ＲＰ１及び冷媒戻り管ＲＰ２を介して共用冷凍機５の冷媒用出口及び冷媒用入口に並列に接続されている。
【００１６】
各コントローラ１ｆ〜４ｆはマイクロコンピュータ構成の制御部と通信部と検知部とを有し、各通信部は信号線ＳＬ１を介して制御装置６に接続され、各検知部には庫内温度センサ１ｅ〜４ｅが接続されている。各コントローラ１ｆ〜４ｆの制御部のメモリには、設定庫内温度（ＴＳ１〜ＴＳ４）と実庫内温度（ＴＡ１〜ＴＡ４）との温度偏差（ΔＴ１〜ΔＴ４）に基づいて実庫内温度（ＴＡ１〜ＴＡ４）が設定庫内温度（ＴＳ１〜ＴＳ４）となるように電磁弁（１ｃ〜４ｃ）の開閉を制御するための電磁弁開閉プログラムと、設定庫内温度（ＴＳ１〜ＴＳ４）と実庫内温度（ＴＡ１〜ＴＡ４）と温度偏差（ΔＴ１〜ΔＴ４）等を制御装置６に伝送するための通信プログラム等が格納されている。
【００１７】
また、図２に示すように、各ショーケース１〜４には開口１ｈ〜４ｈを非密閉状態で覆うロールタイプのナイトカバーＮＣが設けられている。このナイトカバーＮＣはバネ付勢力に抗して引き下ろしてその下端ＮＣａをケース本体に係合することによって各ショーケース１〜４への装着を可能としており、下端ＮＣａの係合を解除することによる自動巻き上げを可能としている。さらに、各ショーケース１〜４の収納室ＳＣには複数の棚板ＳＢが上下に間隔をおいて設置され、各棚板ＳＢの下面前端及び収納室ＳＣの上面には陳列商品を照明するための蛍光灯等の照明器ＩＬが設けられている。
【００１８】
共用冷凍機５は、モータ回転数の増減によって能力可変するタイプの圧縮機５ａと、凝縮器５ｂと、圧縮機５ａの実吸入圧力ＰＡを検出するための圧力センサ５ｃと、コントローラ５ｄとを少なくとも備える。共用冷凍機５の冷媒用出口（凝縮器５ｂの出口側）には冷媒往き管ＲＰ１の基端が接続され、冷媒用入口（圧縮機５ａの入口側）には冷媒戻り管ＲＰ２の終端が接続されている。
【００１９】
コントローラ５ｄはマイクロコンピュータ構成の制御部と通信部と検知部とを有し、通信部は信号線ＳＬ２を介して制御装置６に接続され、検知部には圧力センサ５ｃが接続されている。コントローラ５ｄの制御部のメモリには、制御装置６で設定された目標吸入圧力ＰＳと実吸入圧力ＰＡとの圧力偏差ΔＰに基づいて実吸入圧力ＰＡが目標吸入圧力ＰＳとなるように圧縮機５ａの回転数を制御する回転数可変プログラムと、実吸入圧力ＰＡと圧力偏差ΔＰ等を制御装置６に伝送するための通信プログラム等が記憶されている。
【００２０】
制御装置６は、マイクロコンピュータ構成の制御部６ａと、入力キーやディスプレイを含む設定部６ｂと、検知部６ｃと、店内温度ＴＩを検出するための店内温度センサ６ｄと、店内湿度ＵＩを検出するための店内湿度センサ６ｅと、通信部６ｆと、通信部６ｆに接続されたコネクタ６ｇとを少なくとも備える。店内温度センサ６ｄと店内湿度センサ６ｅは各ショーケース１〜４及び店内空調機からの熱的影響を受け難い店内位置に設置されており、検知部６ｃに接続されている。また、コネクタ６ｇには信号線ＳＬ１，ＳＬ２の端が接続されている。さらに、制御部６ａのメモリには、目標吸入圧力を設定及び補正するための後述のプログラムと、設定後または補正後の目標吸入圧力ＰＳを共用冷凍機５に伝送するための通信プログラム等が格納されている。
【００２１】
以下に、図３〜図６を参照して、制御装置６で実行される目標吸入圧力の設定及び補正に係る処理フローを、システム全体の動作を交えて説明する。
【００２２】
システム起動後は、店内温度センサ６ｄと店内湿度センサ６ｅで検出された今現在の店内温度ＴＩと店内湿度ＵＩとに基づいて店内エンタルピＥを求める（図３のステップＳ１１）。ここでは、店内温度ＴＩと店内湿度ＵＩとの関係に基づいて予め用意した図４のデータテーブルを利用し、該当する店内温度ＴＩと店内湿度ＵＩとから店内エンタルピＥを設定する。勿論、この店内エンタルピＥは、図４のデータテーブルを利用せずに、店内温度ＴＩと店内湿度ＵＩとを変数とした計算式によって求めることも可能である。
【００２３】
店内エンタルピＥを求めた後は、この店内エンタルピＥと４台のショーケース１〜４の中で最も低い設定庫内温度ＴＳL とに基づいて圧縮機５ａの目標吸入圧力ＰＳを設定する（図３のステップＳ１２）。ここでは、店内エンタルピＥと設定庫内温度Ｔとの関係に基づいて予め用意した図５のデータテーブルを利用し、該当する店内エンタルピＥと設定庫内温度Ｔとから目標吸入圧力ＰＳを設定する。勿論、この目標吸入圧力ＰＳは、図５のデータテーブルを利用せずに、店内エンタルピＥと設定庫内温度Ｔとを変数とした計算式によって求めることも可能である。
【００２４】
目標吸入圧力ＰＳを設定した後は、該目標吸入圧力ＰＳを共用冷凍機５に伝送する（図３のステップＳ１３）。
【００２５】
共用冷凍機５のコントローラ５ｄは、この目標吸入圧力ＰＳと実吸入圧力ＰＡとの圧力偏差ΔＰに基づき、実吸入圧力ＰＡが目標吸入圧力ＰＳとなるように圧縮機５ａの回転数を制御する。即ち、コントローラ５ｄは、実吸入圧力ＰＡ＞目標吸入圧力ＰＳのときに圧縮機５ａの回転数を増加させて実吸入圧力ＰＡが下がるようにフィードバック制御し、且つ、実吸入圧力ＰＡ＜目標吸入圧力ＰＳのときに圧縮機５ａの回転数を減少させて実吸入圧力ＰＡが上がるようにフィードバック制御する。
【００２６】
一方、各ショーケース１〜４のコントローラ１ｆ〜４ｆは、設定庫内温度（ＴＳ１〜ＴＳ４）と実庫内温度（ＴＡ１〜ＴＡ４）との温度偏差（ΔＴ１〜ΔＴ４）に基づき、実庫内温度（ＴＡ１〜ＴＡ４）が設定庫内温度（ＴＳ１〜ＴＳ４）となるように電磁弁（１ｃ〜４ｃ）の開閉を制御する。即ち、各コントローラ１ｆ〜４ｆは、実庫内温度（ＴＡ１〜ＴＡ４）＞設定庫内温度（ＴＳ１〜ＴＳ４）のときに電磁弁（１ｃ〜４ｃ）を開放して冷媒を蒸発器（１ａ〜４ａ）に取り込み、且つ、実庫内温度（ＴＡ１〜ＴＡ４）＜設定庫内温度（ＴＳ１〜ＴＳ４）のときに電磁弁（１ｃ〜４ｃ）を閉じて蒸発器（１ａ〜４ａ）への冷媒の取り込みを抑止するように電磁弁（１ｃ〜４ｃ）の開閉を制御する。
【００２７】
目標吸入圧力ＰＳを共用冷凍機５に伝送した後は、各ショーケース１〜４にナイトカバーＮＣが装着されたか否かを判定する（図３のステップＳ１４）。
【００２８】
ナイトカバーＮＣの装着判定方法には、
（１）現在時刻が予め設定したナイトカバー装着時刻（閉店時刻或いは閉店時刻から所定  時間後の時刻）に達し、且つ、各ショーケースの冷却継続時間が予め設定した基準冷却  継続時間よりも短いときに各ショーケース１〜４にナイトカバーＮＣが装着されたと判  定する方法
（２）各ショーケース１〜４に設けられたナイトカバー装着検知センサ（図示省略）が閉  塞を検知したときに各ショーケース１〜４にナイトカバＮＣーが装着されたと判定する  方法
の何れかが採用できる。
【００２９】
（１）の判定方法は、ナイトカバーＮＣが装着された後は冷却継続時間が通常よりも短くなることを利用してナイトカバーＮＣの装着し忘れを認識する方法であり、ここでの冷却継続時間は、実庫内温度ＴＡ１〜ＴＡ４の降下継続時間や、電磁弁１ｂ〜４ｂの開放継続時間等によって把握することができる。また、電磁弁と膨張弁の代わりに電子式膨張弁が用いられている場合には、該電子式膨張弁の平均開度が通常よりも小さくなっていることで同様の把握を行うことができる。
【００３０】
ステップＳ１４でナイトカバー装着と判定されたときは、先に設定された目標吸入圧力ＰＳをこれよりも高値に補正する処理を行う（図３のステップＳ１５）。ここでは、店内エンタルピＥと目標吸入圧力ＰＳとの関係に基づいて予め用意した図６のデータテーブルを利用し、今現在の店内エンタルピＥから補正後の目標吸入圧力ＰＳを設定する。図６中の最も下側の実線は４台のショーケース１〜４の中で最も低い設定庫内温度ＴＳL に準拠した目標吸入圧力値を示し、その上側の実線はナイトカバー装着時の目標吸入圧力値を示す。
【００３１】
例えば、ナイトカバー装着と判定されたときの店内エンタルピＥがＥ１１のときには、ＴＳL 準拠の圧力値Ｐ１１（ステップＳ１２で設定された目標吸入圧力値ＰＳに相当）をナイトカバー装着時の圧力値Ｐ１２に置き換え、該圧力値Ｐ１２を補正後の目標吸入圧力値ＰＳとして設定する。勿論、この補正後の目標吸入圧力値ＰＳは、図６のデータテーブルを利用せずに、店内エンタルピＥと目標吸入圧力値ＰＳとを変数とした計算式によって求めることも可能である。
【００３２】
補正後の目標吸入圧力ＰＳを設定した後は、補正後の目標吸入圧力ＰＳを共用冷凍機５に伝送する（図３のステップＳ１６）。
【００３３】
共用冷凍機５のコントローラ５ｄは、この補正後の目標吸入圧力ＰＳと実吸入圧力ＰＡとの圧力偏差ΔＰに基づき、前記と同様に、実吸入圧力が補正後の目標吸入圧力となるように圧縮機５ａの回転数を制御する。
【００３４】
ステップＳ１４でナイトカバー非装着と判定されたとき、また、ナイトカバー装着と判定された後にステップＳ１４でナイトカバー非装着と判定されたときは、ステップＳ１１〜Ｓ１３の処理が繰り返される。
【００３５】
このように、前述の冷却システムによれば、店内温度ＴＩと店内湿度ＵＩとに基づいて店内エンタルピＥを求め、該店内エンタルピＥと４台のショーケース１〜４の中の最も低い設定庫内温度ＴＳL とに基づいて圧縮機５ａの目標吸入圧力ＰＳを的確に設定できるので、換言すれば、各ショーケース１〜４から特殊な運転データを収集することなく、且つ、制御装置６に複雑な処理等を要することなく圧縮機５ａの目標吸入圧力ＰＳを的確に設定できるので、コスト面での難点を解消し、且つ、省エネルギーを図ることができる。
【００３６】
また、前述の冷却システムによれば、各ショーケース１〜４にナイトカバーＮＣが装着されたと判定されたときに先に設定された目標吸入圧力ＰＳをこれよりも高値に補正する処理を行っているので、営業時間帯に比べて外乱による負荷変動が著しく減少する非営業時間帯において目標吸入圧力ＰＳが低すぎる値となって圧縮機５ａの運転にエネルギーロスを生じる難点を解消して省エネルギーを図ることができる。
【００３７】
つまり、開店時刻及び閉店時刻を定めているスーパーマーケット等の店舗にシステムが設置された場合でも、営業時間帯並びに非営業時間帯における圧縮機５ａの目標吸入圧力をそれぞれ適切に設定してシステム全体の省エネルギーを図ることができる冷却システムを提供することができる。
【００３８】
尚、前述の第１実施形態では、ナイトカバー装着後にステップＳ１４でナイトカバー非装着と判定されたときにステップＳ１１〜Ｓ１３の処理を実行するものを示したが、補正後の目標吸入圧力ＰＳに基づいて圧縮機５ａの回転数を制御している状態で少なくとも１つのショーケースの庫内温度が設定庫内温度を超えたときに補正後の目標吸入圧力ＰＳを補正前の目標吸入圧力ＰＳに戻す処理ステップを図３のフローに追加してもよい。
【００３９】
また、前述の第１実施形態では、全てのショーケース１〜４にナイトカバーＮＣが装着された場合を例として説明したが、４台のショーケース１〜４が例えば３℃と５℃の２つの設定庫内温度で区分けされていて３℃のショーケースのみにナイトカバーＮＣが装着されたときには、図６に示した３℃準拠の目標吸入圧力値Ｐ１１を同図に破線で示す５℃準拠の圧力値Ｐ１３（Ｐ１２よりも低い値）に置き換える補正を行って、５℃のショーケースに冷却不足が生じないようにしてもよい。
【００４０】
さらに、前述の第１実施形態では、４台のショーケース１〜４を備えた冷却システムを例示したが、ショーケースの台数が５以上の冷却システムであっても本発明を適用することで前記同様の作用効果が得られる。
【００４１】
［第２実施形態］
図７及び図８は本発明の第２実施形態を示す。図７は目標吸入圧力の設定及び補正に係る処理フローを示す図、図８は目標吸入圧力を補正する際に用いられるデータテーブルを示す図である。尚、冷却システムの全体構成，ショーケースの側面，店内エンタルピを求める際に用いられるデータテーブル及び目標吸入圧力を設定する際に用いられるデータテーブルは図１，図２，図４及び図５に示したものと同じであるため、ここでの説明では同図を引用し個別説明を省略する。
【００４２】
以下に、図７及び図８を参照して、制御装置６で実行される目標吸入圧力の設定及び補正に係る処理フローを、システム全体の動作を交えて説明する。
【００４３】
システム起動後は、店内温度センサ６ｄと店内湿度センサ６ｅで検出された今現在の店内温度ＴＩと店内湿度ＵＩとに基づいて店内エンタルピＥを求める（図７のステップＳ２１）。ここでは、店内温度ＴＩと店内湿度ＵＩとの関係に基づいて予め用意した図４のデータテーブルを利用し、該当する店内温度ＴＩと店内湿度ＵＩとから店内エンタルピＥを設定する。勿論、この店内エンタルピＥは、図４のデータテーブルを利用せずに、店内温度ＴＩと店内湿度ＵＩとを変数とした計算式によって求めることも可能である。
【００４４】
店内エンタルピＥを求めた後は、この店内エンタルピＥと４台のショーケース１〜４の中で最も低い設定庫内温度ＴＳL とに基づいて圧縮機５ａの目標吸入圧力ＰＳを設定する（図７のステップＳ２２）。ここでは、店内エンタルピＥと設定庫内温度Ｔとの関係に基づいて予め用意した図５のデータテーブルを利用し、該当する店内エンタルピＥと設定庫内温度Ｔとから目標吸入圧力ＰＳを設定する。勿論、この目標吸入圧力ＰＳは、図５のデータテーブルを利用せずに、店内エンタルピＥと設定庫内温度Ｔとを変数とした計算式によって求めることも可能である。
【００４５】
目標吸入圧力ＰＳを設定した後は、該目標吸入圧力ＰＳを共用冷凍機５に伝送する（図７のステップＳ２３）。
【００４６】
共用冷凍機５のコントローラ５ｄは、この目標吸入圧力ＰＳと実吸入圧力ＰＡとの圧力偏差ΔＰに基づき、実吸入圧力ＰＡが目標吸入圧力ＰＳとなるように圧縮機５ａの回転数を制御する。即ち、コントローラ５ｄは、実吸入圧力ＰＡ＞目標吸入圧力ＰＳのときに圧縮機５ａの回転数を増加させて実吸入圧力ＰＡが下がるようにフィードバック制御し、且つ、実吸入圧力ＰＡ＜目標吸入圧力ＰＳのときに圧縮機５ａの回転数を減少させて実吸入圧力ＰＡが上がるようにフィードバック制御する。
【００４７】
一方、各ショーケース１〜４のコントローラ１ｆ〜４ｆは、設定庫内温度（ＴＳ１〜ＴＳ４）と実庫内温度（ＴＡ１〜ＴＡ４）との温度偏差（ΔＴ１〜ΔＴ４）に基づき、実庫内温度（ＴＡ１〜ＴＡ４）が設定庫内温度（ＴＳ１〜ＴＳ４）となるように電磁弁（１ｃ〜４ｃ）の開閉を制御する。即ち、各コントローラ１ｆ〜４ｆは、実庫内温度（ＴＡ１〜ＴＡ４）＞設定庫内温度（ＴＳ１〜ＴＳ４）のときに電磁弁（１ｃ〜４ｃ）を開放して冷媒を蒸発器（１ａ〜４ａ）に取り込み、且つ、実庫内温度（ＴＡ１〜ＴＡ４）＜設定庫内温度（ＴＳ１〜ＴＳ４）のときに電磁弁（１ｃ〜４ｃ）を閉じて蒸発器（１ａ〜４ａ）への冷媒の取り込みを抑止するように電磁弁（１ｃ〜４ｃ）の開閉を制御する。
【００４８】
目標吸入圧力ＰＳを共用冷凍機５に伝送した後は、各ショーケース１〜４の照明器ＩＬが消灯されたか否かを判定する（図７のステップＳ２４）。
【００４９】
照明器ＩＬの消灯判定方法には、
（１）現在時刻が予め設定した点灯時刻に達して各ショーケース１〜４に消灯信号が入力  されたときに各ショーケース１〜４の照明器ＩＬが消灯されたと判定する方法
（２）各ショーケース１〜４に設けられた照明スイッチ（図示省略）が消灯に切り換えら  れたときに各ショーケース１〜４の照明器ＩＬが消灯されたと判定する方法
の何れかが採用できる。
【００５０】
（１）の判定方法を実現するには、現在時刻が予め設定した点灯時刻に達したときに各ショーケース１〜４に点灯信号を出力し現在時刻が予め設定した消灯時刻に達したときに各ショーケース１〜４に消灯信号を出力する手段を制御装置６に設けると共に、点灯信号の入力に基づいて照明器ＩＬを点灯させ消灯信号の入力に基づいて照明器ＩＬを消灯させる手段を各ショーケース１〜４に設ければよい。
【００５１】
（２）の判定方法を実現するには、各ショーケース１〜４が照明器ＩＬを点灯または消灯に切り換えるための照明スイッチ（図示省略）を有する必要があるが、通常のショーケースには同スイッチが予め設けられているので既設のスイッチ及びその信号を利用すればよい。
【００５２】
ステップＳ２４で照明器消灯と判定されたときは、先に設定された目標吸入圧力ＰＳをこれよりも高値に補正する処理を行う（図７のステップＳ２５）。ここでは、店内エンタルピＥと目標吸入圧力ＰＳとの関係に基づいて予め用意した図８のデータテーブルを利用し、今現在の店内エンタルピＥから補正後の目標吸入圧力ＰＳを設定する。図８中の最も下側の実線は４台のショーケース１〜４の中で最も低い設定庫内温度ＴＳL に準拠した目標吸入圧力値を示し、その上側の実線は照明器消灯時の目標吸入圧力値を示す。
【００５３】
例えば、照明器消灯と判定されたときの店内エンタルピＥがＥ２１のときには、ＴＳL 準拠の圧力値Ｐ２１（ステップＳ２２で設定された目標吸入圧力値ＰＳに相当）を照明器消灯時の圧力値Ｐ２２に置き換え、該圧力値Ｐ２２を補正後の目標吸入圧力値ＰＳとして設定する。勿論、この補正後の目標吸入圧力値ＰＳは、図８のデータテーブルを利用せずに、店内エンタルピＥと目標吸入圧力値ＰＳとを変数とした計算式によって求めることも可能である。
【００５４】
補正後の目標吸入圧力ＰＳを設定した後は、補正後の目標吸入圧力ＰＳを共用冷凍機５に伝送する（図７のステップＳ２６）。
【００５５】
共用冷凍機５のコントローラ５ｄは、この補正後の目標吸入圧力ＰＳと実吸入圧力ＰＡとの圧力偏差ΔＰに基づき、前記と同様に、実吸入圧力が補正後の目標吸入圧力となるように圧縮機５ａの回転数を制御する。
【００５６】
ステップＳ２４で照明器非消灯と判定されたとき、また、照明器消灯と判定された後にステップＳ２４で照明器非消灯と判定されたときは、ステップＳ２１〜Ｓ２３の処理が繰り返される。
【００５７】
このように、前述の冷却システムによれば、店内温度ＴＩと店内湿度ＵＩとに基づいて店内エンタルピＥを求め、該店内エンタルピＥと４台のショーケース１〜４の中の最も低い設定庫内温度ＴＳL とに基づいて圧縮機５ａの目標吸入圧力ＰＳを的確に設定できるので、換言すれば、各ショーケース１〜４から特殊な運転データを収集することなく、且つ、制御装置６に複雑な処理等を要することなく圧縮機５ａの目標吸入圧力ＰＳを的確に設定できるので、コスト面での難点を解消し、且つ、省エネルギーを図ることができる。
【００５８】
また、前述の冷却システムによれば、各ショーケース１〜４の照明灯ＩＬが消灯されたと判定されたときに先に設定された目標吸入圧力ＰＳをこれよりも高値に補正する処理を行っているので、営業時間帯に比べて外乱による負荷変動が著しく減少する非営業時間帯において目標吸入圧力ＰＳが低すぎる値となって圧縮機５ａの運転にエネルギーロスを生じる難点を解消して省エネルギーを図ることができる。
【００５９】
つまり、開店時刻及び閉店時刻を定めているスーパーマーケット等の店舗にシステムが設置された場合でも、営業時間帯並びに非営業時間帯における圧縮機５ａの目標吸入圧力をそれぞれ適切に設定してシステム全体の省エネルギーを図ることができる冷却システムを提供することができる。
【００６０】
尚、前述の第２実施形態では、照明器消灯後にステップＳ２４で照明器非消灯と判定されたときにステップＳ２１〜Ｓ２３の処理を実行するものを示したが、補正後の目標吸入圧力ＰＳに基づいて圧縮機５ａの回転数を制御している状態で少なくとも１つのショーケースの庫内温度が設定庫内温度を超えたときに補正後の目標吸入圧力ＰＳを補正前の目標吸入圧力ＰＳに戻す処理ステップを図７のフローに追加してもよい。
【００６１】
また、前述の第２実施形態では、４台のショーケース１〜４を備えた冷却システムを例示したが、ショーケースの台数が５以上の冷却システムであっても本発明を適用することで前記同様の作用効果が得られる。
【００６２】
［第３実施形態］
図９及び図１０は本発明の第３実施形態を示す。図９は目標吸入圧力の設定及び補正に係る処理フローを示す図、図９は目標吸入圧力を補正する際に用いられるデータテーブルを示す図である。尚、冷却システムの全体構成，ショーケースの側面，店内エンタルピを求める際に用いられるデータテーブル及び目標吸入圧力を設定する際に用いられるデータテーブルは図１，図２，図４及び図５に示したものと同じであるため、ここでの説明では同図を引用し個別説明を省略する。
【００６３】
以下に、図９及び図１０を参照して、制御装置６で実行される目標吸入圧力の設定及び補正に係る処理フローを、システム全体の動作を交えて説明する。
【００６４】
システム起動後は、店内温度センサ６ｄと店内湿度センサ６ｅで検出された今現在の店内温度ＴＩと店内湿度ＵＩとに基づいて店内エンタルピＥを求める（図９のステップＳ３１）。ここでは、店内温度ＴＩと店内湿度ＵＩとの関係に基づいて予め用意した図４のデータテーブルを利用し、該当する店内温度ＴＩと店内湿度ＵＩとから店内エンタルピＥを設定する。勿論、この店内エンタルピＥは、図４のデータテーブルを利用せずに、店内温度ＴＩと店内湿度ＵＩとを変数とした計算式によって求めることも可能である。
【００６５】
店内エンタルピＥを求めた後は、この店内エンタルピＥと４台のショーケース１〜４の中で最も低い設定庫内温度ＴＳL とに基づいて圧縮機５ａの目標吸入圧力ＰＳを設定する（図９のステップＳ３２）。ここでは、店内エンタルピＥと設定庫内温度Ｔとの関係に基づいて予め用意した図５のデータテーブルを利用し、該当する店内エンタルピＥと設定庫内温度Ｔとから目標吸入圧力ＰＳを設定する。勿論、この目標吸入圧力ＰＳは、図５のデータテーブルを利用せずに、店内エンタルピＥと設定庫内温度Ｔとを変数とした計算式によって求めることも可能である。
【００６６】
目標吸入圧力ＰＳを設定した後は、該目標吸入圧力ＰＳを共用冷凍機５に伝送する（図９のステップＳ３３）。
【００６７】
共用冷凍機５のコントローラ５ｄは、この目標吸入圧力ＰＳと実吸入圧力ＰＡとの圧力偏差ΔＰに基づき、実吸入圧力ＰＡが目標吸入圧力ＰＳとなるように圧縮機５ａの回転数を制御する。即ち、コントローラ５ｄは、実吸入圧力ＰＡ＞目標吸入圧力ＰＳのときに圧縮機５ａの回転数を増加させて実吸入圧力ＰＡが下がるようにフィードバック制御し、且つ、実吸入圧力ＰＡ＜目標吸入圧力ＰＳのときに圧縮機５ａの回転数を減少させて実吸入圧力ＰＡが上がるようにフィードバック制御する。
【００６８】
一方、各ショーケース１〜４のコントローラ１ｆ〜４ｆは、設定庫内温度（ＴＳ１〜ＴＳ４）と実庫内温度（ＴＡ１〜ＴＡ４）との温度偏差（ΔＴ１〜ΔＴ４）に基づき、実庫内温度（ＴＡ１〜ＴＡ４）が設定庫内温度（ＴＳ１〜ＴＳ４）となるように電磁弁（１ｃ〜４ｃ）の開閉を制御する。即ち、各コントローラ１ｆ〜４ｆは、実庫内温度（ＴＡ１〜ＴＡ４）＞設定庫内温度（ＴＳ１〜ＴＳ４）のときに電磁弁（１ｃ〜４ｃ）を開放して冷媒を蒸発器（１ａ〜４ａ）に取り込み、且つ、実庫内温度（ＴＡ１〜ＴＡ４）＜設定庫内温度（ＴＳ１〜ＴＳ４）のときに電磁弁（１ｃ〜４ｃ）を閉じて蒸発器（１ａ〜４ａ）への冷媒の取り込みを抑止するように電磁弁（１ｃ〜４ｃ）の開閉を制御する。
【００６９】
目標吸入圧力ＰＳを共用冷凍機５に伝送した後は、各ショーケース１〜４にナイトカバーＮＣが装着されたか否かと、各ショーケース１〜４の照明器ＩＬが消灯されたか否かを判定する（図９のステップＳ３４〜Ｓ３６）。
【００７０】
ナイトカバーＮＣの装着判定方法には、
（１）現在時刻が予め設定したナイトカバー装着時刻（閉店時刻或いは閉店時刻から所定  時間後の時刻）に達し、且つ、各ショーケースの冷却継続時間が予め設定した基準冷却  継続時間よりも短いときに各ショーケース１〜４にナイトカバーＮＣが装着されたと判  定する方法
（２）各ショーケース１〜４に設けられたナイトカバー装着検知センサ（図示省略）が閉  塞を検知したときに各ショーケース１〜４にナイトカバＮＣーが装着されたと判定する  方法
の何れかが採用できる。
【００７１】
（１）の判定方法は、ナイトカバーＮＣが装着された後は冷却継続時間が通常よりも短くなることを利用してナイトカバーＮＣの装着し忘れを認識する方法であり、ここでの冷却継続時間は、実庫内温度ＴＡ１〜ＴＡ４の降下継続時間や、電磁弁１ｂ〜４ｂの開放継続時間等によって把握することができる。また、電磁弁と膨張弁の代わりに電子式膨張弁が用いられている場合には、該電子式膨張弁の平均開度が通常よりも小さくなっていることで同様の把握を行うことができる。
【００７２】
一方、照明器ＩＬの消灯判定方法には、
（３）現在時刻が予め設定した点灯時刻に達して各ショーケース１〜４に消灯信号が入力  されたときに各ショーケース１〜４の照明器ＩＬが消灯されたと判定する方法
（４）各ショーケース１〜４に設けられた照明スイッチ（図示省略）が消灯に切り換えら  れたときに各ショーケース１〜４の照明器ＩＬが消灯されたと判定する方法
の何れかが採用できる。
【００７３】
（３）の判定方法を実現するには、現在時刻が予め設定した点灯時刻に達したときに各ショーケース１〜４に点灯信号を出力し現在時刻が予め設定した消灯時刻に達したときに各ショーケース１〜４に消灯信号を出力する手段を制御装置６に設けると共に、点灯信号の入力に基づいて照明器ＩＬを点灯させ消灯信号の入力に基づいて照明器ＩＬを消灯させる手段を各ショーケース１〜４に設ければよい。
【００７４】
（４）の判定方法を実現するには、各ショーケース１〜４が照明器ＩＬを点灯または消灯に切り換えるための照明スイッチ（図示省略）を有する必要があるが、通常のショーケースには同スイッチが予め設けられているので既設のスイッチ及びその信号を利用すればよい。
【００７５】
ステップＳ３４〜Ｓ３６でナイトカバー装着と照明器消灯の少なくとも一方と判定されたときは、先に設定された目標吸入圧力ＰＳをこれよりも高値に補正する処理を行う（図９のステップＳ３７）。ここでは、店内エンタルピＥと目標吸入圧力ＰＳとの関係に基づいて予め用意した図１０のデータテーブルを利用し、今現在の店内エンタルピＥから補正後の目標吸入圧力ＰＳを設定する。図１０中の最も下側の実線は４台のショーケース１〜４の中で最も低い設定庫内温度ＴＳL に準拠した目標吸入圧力値を示し、その上側の実線は照明器消灯時の目標吸入圧力値を示し、その上側の実線はナイトカバー装着時の目標吸入圧力値を示す、その上側の実線はナイトカバー装着時＆照明器消灯時の目標吸入圧力値を示す。
【００７６】
例えば、照明器消灯と判定されたときの店内エンタルピＥがＥ３１のときには、ＴＳL 準拠の圧力値Ｐ３１（ステップＳ３２で設定された目標吸入圧力値ＰＳに相当）を照明器消灯時の圧力値Ｐ３２に置き換え、該圧力値Ｐ３２を補正後の目標吸入圧力値ＰＳとして設定する。勿論、この補正後の目標吸入圧力値ＰＳは、図１０のデータテーブルを利用せずに、店内エンタルピＥと目標吸入圧力値ＰＳとを変数とした計算式によって求めることも可能である。
【００７７】
また、ナイトカバー装着と判定されたときの店内エンタルピＥがＥ３１のときには、ＴＳL 準拠の圧力値Ｐ３１（ステップＳ３２で設定された目標吸入圧力値ＰＳに相当）をナイトカバー装着時の圧力値Ｐ３３に置き換え、該圧力値Ｐ３３を補正後の目標吸入圧力値ＰＳとして設定する。勿論、この補正後の目標吸入圧力値ＰＳは、図１０のデータテーブルを利用せずに、店内エンタルピＥと目標吸入圧力値ＰＳとを変数とした計算式によって求めることも可能である。
【００７８】
さらに、照明器消灯＆ナイトカバー装着と判定されたときの店内エンタルピＥがＥ３１のときには、ＴＳL 準拠の圧力値Ｐ３１（ステップＳ３２で設定された目標吸入圧力値ＰＳに相当）をナイトカバー装着時＆照明器消灯時の圧力値Ｐ３４に置き換え、該圧力値Ｐ３４を補正後の目標吸入圧力値ＰＳとして設定する。勿論、この補正後の目標吸入圧力値ＰＳは、図１０のデータテーブルを利用せずに、店内エンタルピＥと目標吸入圧力値ＰＳとを変数とした計算式によって求めることも可能である。
【００７９】
補正後の目標吸入圧力ＰＳを設定した後は、補正後の目標吸入圧力ＰＳを共用冷凍機５に伝送する（図９のステップＳ３７）。
【００８０】
共用冷凍機５のコントローラ５ｄは、この補正後の目標吸入圧力ＰＳと実吸入圧力ＰＡとの圧力偏差ΔＰに基づき、前記と同様に、実吸入圧力が補正後の目標吸入圧力となるように圧縮機５ａの回転数を制御する。
【００８１】
ステップＳ３４〜Ｓ３６でナイトカバー装着と照明器消灯の少なくとも一方と判定されたとき、また、ナイトカバー装着と照明器消灯の少なくとも一方と判定された後にステップＳ３４〜Ｓ３６でナイトカバー非装着及び照明器非消灯と判定されたときは、ステップＳ３１〜Ｓ３３の処理が繰り返される。
【００８２】
このように、前述の冷却システムによれば、店内温度ＴＩと店内湿度ＵＩとに基づいて店内エンタルピＥを求め、該店内エンタルピＥと４台のショーケース１〜４の中の最も低い設定庫内温度ＴＳL とに基づいて圧縮機５ａの目標吸入圧力ＰＳを的確に設定できるので、換言すれば、各ショーケース１〜４から特殊な運転データを収集することなく、且つ、制御装置６に複雑な処理等を要することなく圧縮機５ａの目標吸入圧力ＰＳを的確に設定できるので、コスト面での難点を解消し、且つ、省エネルギーを図ることができる。
【００８３】
また、前述の冷却システムによれば、各ショーケース１〜４にナイトカバーＮＣが装着されたと判定されたとき及び／または各ショーケース１〜４の照明灯ＩＬが消灯されたと判定されたときに先に設定された目標吸入圧力ＰＳをこれよりも高値に補正する処理を行っているので、営業時間帯に比べて外乱による負荷変動が著しく減少する非営業時間帯において目標吸入圧力ＰＳが低すぎる値となって圧縮機５ａの運転にエネルギーロスを生じる難点を解消して省エネルギーを図ることができる。
【００８４】
つまり、開店時刻及び閉店時刻を定めているスーパーマーケット等の店舗にシステムが設置された場合でも、営業時間帯並びに非営業時間帯における圧縮機５ａの目標吸入圧力をそれぞれ適切に設定してシステム全体の省エネルギーを図ることができる冷却システムを提供することができる。
【００８５】
尚、前述の第３実施形態では、ナイトカバー装着と照明器消灯の少なくとも一方と判定された後にステップＳ３４〜Ｓ３６でナイトカバー非装着及び照明器非消灯と判定されたときにステップＳ３１〜Ｓ３３の処理を実行するものを示したが、補正後の目標吸入圧力ＰＳに基づいて圧縮機５ａの回転数を制御している状態で少なくとも１つのショーケースの庫内温度が設定庫内温度を超えたときに補正後の目標吸入圧力ＰＳを補正前の目標吸入圧力ＰＳに戻す処理ステップを図９のフローに追加してもよい。
【００８６】
また、前述の第３実施形態では、全てのショーケース１〜４にナイトカバーＮＣが装着された場合を例として説明したが、４台のショーケース１〜４が例えば３℃と５℃の２つの設定庫内温度で区分けされていて３℃のショーケースのみにナイトカバーＮＣが装着されたときには、図１０に示した３℃準拠の目標吸入圧力値Ｐ３１を同図に破線で示す５℃準拠の圧力値Ｐ３５（Ｐ３３よりも低い値）に置き換える補正を行って、５℃のショーケースに冷却不足が生じないようにしてもよい。
【００８７】
さらに、前述の第３実施形態では、４台のショーケース１〜４を備えた冷却システムを例示したが、ショーケースの台数が５以上の冷却システムであっても本発明を適用することで前記同様の作用効果が得られる。
【図面の簡単な説明】
【００８８】
【図１】本発明の第１実施形態に係る冷却システムの全体構成図である。
【図２】図１に示したショーケースの側面図である。
【図３】目標吸入圧力の設定及び補正に係る処理フローを示す図である。
【図４】店内エンタルピを求める際に用いられるデータテーブルを示す図である。
【図５】目標吸入圧力を設定する際に用いられるデータテーブルを示す図である。
【図６】目標吸入圧力を補正する際に用いられるデータテーブルを示す図である。
【図７】本発明の第２実施形態に係る目標吸入圧力の設定及び補正に係る処理フローを示す図である。
【図８】目標吸入圧力を補正する際に用いられるデータテーブルを示す図である。
【図９】本発明の第３実施形態に係る目標吸入圧力の設定及び補正に係る処理フローを示す図である。
【図１０】目標吸入圧力を補正する際に用いられるデータテーブルを示す図である。
【符号の説明】
【００８９】
１〜４…冷蔵冷凍機器、１ａ〜４ａ…蒸発器、１ｂ〜４ｂ…膨張弁、１ｃ〜４ｃ…電磁弁、１ｅ〜４ｅ…庫内温度センサ、１ｆ〜４ｆ…コントローラ、１ｈ〜４ｈ…開口、ＮＣ…ナイトカバー、ＩＬ…照明器、５…共用冷凍機、５ａ…圧縮機、５ｃ…圧力センサ、５ｄ…コントローラ、６…制御装置、６ａ…制御部、６ｄ…店内温度センサ、６ｅ…店内湿度センサ、ＲＰ１…冷媒往き管、ＲＰ２…冷媒戻り管、ＳＬ１，ＳＬ２…信号線。
【図１】
2007107731.tif 000003
【図２】
2007107731.tif 000004
【図３】
2007107731.tif 000005
【図４】
2007107731.tif 000006
【図５】
2007107731.tif 000007
【図６】
2007107731.tif 000008
【図７】
2007107731.tif 000009
【図８】
2007107731.tif 000010
【図９】
2007107731.tif 000011
【図１０】
2007107731.tif 000012